(57)【特許請求の範囲】
【請求項１】
ベースと、このベース上に間隔をおいて配列される外部端子と、この外部端子に接続され、固定接点を有する固定接触子と、該固定接点と接離する可動接点を有する可動接触子と、前記両接点および固定接触子の近傍に設けられ、前記両接点間に発生したアークを消弧する消弧装置と、この消弧装置の前記外部端子側に設けられ、外部端子および消弧装置の側に磁極を有する永久磁石と、を備えたことを特徴とする回路遮断器。
【請求項２】
消弧装置を構成する最上段の消弧板は、可動接触子の方向に突出する凸部を有することを特徴とする請求項１に記載の回路遮断器。
【請求項３】
永久磁石は、回路遮断器の遮断時に発生するアークに触れると消弧性のガスを発生する材料で保持されていることを特徴とする請求項１または請求項２に記載の回路遮断器。
【請求項４】
ベースと、このベース上に間隔をおいて配列される外部端子と、この外部端子に接続され、固定接点を有する固定接触子と、該固定接点と接離する可動接点を有する可動接触子と、前記両接点および固定接触子の近傍に設けられ、前記両接点間に発生したアークを消弧する消弧装置と、この消弧装置の前記外部端子側に設けられた永久磁石と、を備え、
前記消弧装置を構成する最上段の消弧板は、前記可動接触子の方向に突出する凸部を有し、
前記永久磁石は、回路遮断器の遮断時に発生するアークに触れると消弧性のガスを発生する材料で保持されていることを特徴とする回路遮断器。
【請求項５】
永久磁石は外部端子の配列方向に磁極を有し、該磁極はＮ極とＳ極がアークを前記消弧装置の方向に駆動するように配置されていることを特徴とする請求項４に記載の回路遮断器。
【発明の詳細な説明】
【技術分野】
【０００１】
この発明は、永久磁石によりアーク駆動力を高めることができる回路遮断器に関するものである。
【背景技術】
【０００２】
交流電路用と直流電路用を共用化した回路遮断器は、該回路遮断器を直流電路に用いた場合、直流電流は電流零点を持たないことから高い電圧を遮断することが交流に比べ困難である。
通電電流が大電流領域（例えば、定格電流が１００Ａを超えるもの）については、消弧板の枚数増加によるアーク電圧向上と磁気抵抗の低減による磁気駆動力のアップと、消弧性のガスを発生する絶縁部材をアーク周辺に配設しそのガスの圧力勾配により消弧板側へアークを駆動するガス駆動力により、永久磁石がなくても直流の定格電圧を上げ高電圧化を図ることができる。
しかし、通電電流が小電流領域（例えば、定格電流が１００Ａ以下）では、電流が小さく前述の消弧版による磁気駆動力およびガスの圧力勾配によるガス駆動力が小さいので、永久磁石を両接点の近傍の両側に配置し、フレミングの法則を利用した永久磁石の磁力により遮断時のアークを消弧装置のグリッド側へ駆動することが一般的である。
また、永久磁石がアークによる高温に曝されるのを防ぐため、永久磁石を樹脂により覆うことも知られている（例えば、特許文献１参照。）。
【先行技術文献】
【特許文献】
【０００３】
【特許文献１】特開２０１１−１２９３８５号公報
【発明の概要】
【発明が解決しようとする課題】
【０００４】
上記のように従来の回路遮断器では、永久磁石を両接点の近傍に配置することによりアークを駆動するが、永久磁石の配置のばらつきによってアークの駆動方向および駆動力が大きく変わるので、通電した状態での開閉耐久性（以下、通電耐久性能と記す）も考慮する必要がある。通電耐久性能は、国際規格（ＩＥＣ６０９４７−２）に明記されているように、通電電流に応じ１５００回以上を満足する必要があり、両接点近傍の左右に永久磁石を配置した場合、左右の永久磁石の残留磁束密度が完全に一致しないため、フレミングの法則による駆動力より永久磁石に引き寄せられる駆動力が大きくなる領域をもつことになる。この状態ではアークが永久磁石の方向に吸引され、開閉回数によっては磁石を覆っている樹脂が破壊される可能性があり、この樹脂が破壊されると永久磁石がアークの高熱に曝され、永久磁石の磁力が低下し、遮断性能の低下を引き起こすことがあるという問題があった。【０００５】
本発明は、上述のような課題を解決するためになされたもので、遮断時のアークを駆動するための永久磁石がアークの高熱に曝されることがない回路遮断器を得るものである。
【課題を解決するための手段】
【０００６】
本発明の回路遮断器は、ベースと、このベース上に間隔をおいて配列される外部端子と、この外部端子に接続され、固定接点を有する固定接触子と、該固定接点と接離する可動接点を有する可動接触子と、固定接点と可動接点との間に発生したアークを消弧する消弧装置と、この消弧装置の外部端子側に設けられ、外部端子および消弧装置の側に磁極を有する永久磁石と、を備えたものである。
【発明の効果】
【０００７】
この発明によれば、両接点間に発生するアークを駆動するための永久磁石を消弧装置の外部端子側に設けたので、該永久磁石がアークの高熱に曝されることがなく、遮断性能の低下を防止することができる。
【図面の簡単な説明】
【０００８】
【図１】本発明の実施の形態１における回路遮断器の全体構成を示す縦断面図である。
【図２】図１の消弧装置を示す斜視拡大図である。
【図３】図１の消弧装置を示す側面拡大図である。
【図４】図１の消弧装置を通る磁力線を示す図である。
【図５】本発明の実施の形態１における回路遮断器および該回路遮断器の外部配線を示す図である。
【図６】本発明の実施の形態２における回路遮断器および該回路遮断器の外部配線を示す図である。
【図７】本発明の実施の形態３における回路遮断器および該回路遮断器を直流電路に用いた場合の外部配線を示す図である。
【図８】本発明の実施の形態４における回路遮断器の消弧装置を通る磁力線を示す図である。
【図９】本発明の実施の形態４における回路遮断器および該回路遮断器を直流電路に用いた場合の外部配線を示す図である。
【図１０】本発明の実施の形態５における回路遮断器および該回路遮断器を直流電路に用いた場合の外部配線を示す図である。
【図１１】本発明の実施の形態６における回路遮断器および該回路遮断器を直流電路に用いた場合の外部配線を示す図である。
【図１２】実施の形態７の消弧板を示す縦断面の拡大図である。
【図１３】実施の形態７の消弧板を示す斜視図である。
【発明を実施するための形態】
【０００９】
実施の形態１．
図１は本発明の実施の形態１における回路遮断器の全体構成を示す縦断面図、図３は図１の消弧装置を示す斜視拡大図、図３は図１の消弧装置を示す側面拡大図、図４は図１の消弧装置を通る磁力線を示す図、図５は実施の形態１における２極の回路遮断器および該回路遮断器を直流電路に用いた場合の外部配線を示す図である。
【００１０】
図１に示すように、回路遮断器１０１は、絶縁材料で形成されたベース１１とカバー１２とからなる筐体１０を用いて構成される。ベース１１上には、極数分の回路遮断ユニット２０が互いに間隔をおいて配列され、回路遮断ユニット２０の上部には、周知のトグルリンク機構を有する開閉機構部３０が配置される。カバー１２は、ベース１１上の各極の回路遮断ユニット２０と、開閉機構部３０を覆い、開閉機構部３０の操作ハンドル３１はカバー１２のハンドル用窓孔１２ａから突出している。
【００１１】
各極の回路遮断ユニット２０は、互いに同じに構成され、クロスバー３２は、各極の回路遮断ユニット２０に共通して、各極の回路遮断ユニット２０に直交するように、ベース１１上に配置される。このクロスバー３２は、開閉機構部３０により、その軸心を中心として回動され、各極の回路遮断ユニット２０における各可動接触子２３がそれぞれ取り付けられる。クロスバー３２がその軸心を中心として回動したときに、各極の回路遮断ユニット２０の各可動接触子２３が同時に回動され、この可動接触子２３の回動により、可動接点２２が固定接点２１に接離する。開閉機構部３０は、周知のトグルリンク機構からなり、引き外し装置４０により駆動される周知のトリップバー３３を備えている。
【００１２】
各極の回路遮断ユニット２０は、ベース１１に設けられた電源側端子２４と、この電源側端子２４より延設された固定接触子２７に設けられた固定接点２１と、この固定接点２１と接離する可動接点２２と、この可動接点２２が一端に設けられ、クロスバー３２により回動自由に保持されている可動接触子２３と、この可動接触子２３に可動接触子ホルダー２６を介して接続された引き外し装置４０と、引き外し装置４０より延設された負荷側端子２５と、固定接触子２７及び両接点２１、２２の近傍に設けられ、両接点２１、２２間に発生したアークを消弧する消弧装置５０とを有する。固定接点２１と可動接点２２とで、電路を開閉する開閉接点を構成する。可動接点２２が固定接点２１に接触すれば、端子２４、２５の間の電気回路がオンとなり、また、可動接点２２が固定接点２１から開離すれば、両端子２４、２５間の電気回路がオフとなる。このとき可動接点２２と固定接点２１間に生ずるアークは消弧装置５０により消弧される。なお、特許請求の範囲で述べている、「外部端子」とは、上述した電源側端子２４のことである。
【００１３】
図２〜図４に示すように、消弧装置５０を構成する磁性鋼板からなる複数のグリッド板５１および最上段のグリッド板５２は、四角状の板の一辺に略Ｕ字形の切り欠き５１ａを設けた形状となっている。このグリッド板５１を複数枚と最上段のグリッド板５２を１枚用い、所定の間隔を持って絶縁性の材料からなる支持板５３ａ、５３ｂに挟持させることにより消弧装置５０は構成されている。この消弧装置５０は、グリッド板５１および最上段のグリッド板５２のＵ字形の切り欠き５１ａが固定接点２１、可動接点２２の方向に向くように設置され、このＵ字形の切り欠き５１ａにより形成される空間を可動接触子２３が回動する構成となっている。なお、最上段のグリッド板５２には、アークが可動接触子２３から転流し易いように折り曲げ部５２ａが設けられている。
【００１４】
両接点２１、２２および消弧装置５０の近傍には、消弧性のガスを発生する樹脂からなる絶縁部材５５が設けられている。さらに、図３に示すように、消弧装置５０における電源側端子２４側の下部には、永久磁石５４が絶縁部材５５に保持されると共に、絶縁部材５５に覆われてアークに曝されないように配設されている。また、永久磁石５４は、その磁極が電源側端子２４および消弧装置５０の側になるように配置されている。本実施の形態では、図４に示すように、電源側端子２４側がＮ極、消弧装置５０側がＳ極となっているが、これは、逆の電源側端子２４側にＳ極、消弧装置５０側にＮ極でもかまわない。また、同一の回路遮断器で、回路遮断ユニット２０ごとに永久磁石５４の磁極の極性が異なっていてもよい。
【００１５】
次に回路遮断器１０１の遮断動作について説明する。
所定値以上の電流が遮断ユニット２０に流れると引き外し装置４０が回動しトリップバー３３を押すことにより、開閉機構部３０が駆動され可動接触子２３を回動させる。可動接触子２３の回動により固定接点２１から可動接点２２が開離する。可動接点２２が開離した際、流れる電流によるアークは固定接点２１と可動接点２２間の最短距離で維持しようとする。
【００１６】
このとき、通電電流が大電流領域（例えば、定格電流が１００Ａを超えるもの）では、アークによりグリッド板５１に誘磁され、複数のグリッド板５１のＵ字形の切り欠き５１ａを通過する磁束が、複数のグリッド板５１のＵ字形の切り欠き５１ａで形成される空間の奥（図４において電源側端子２４の方向）へアークを磁気駆動する。また、アークの高熱により絶縁部材５５から発生する消弧性のガスが発生し、その圧力勾配によるガス駆動力によってもアークは消弧板５１側へ駆動される。消弧板５１側へ移動したアークは、複数のグリッド板５１によりグリッド板５１間の短いアークに分断され、電圧降下が生じ、アークを維持するためのアーク電圧が上昇し、アーク電圧が電源電圧より高い電圧となるとアークは消滅することとなる。
【００１７】
一方、通電電流が小電流領域（例えば、定格電流が１００Ａ以下）では、アークによる磁気駆動力およびガスの圧力勾配によるガス駆動力が弱いので、両接点２１、２２間の空間をアークが流れ続けることとなる。このため、消弧装置５０の近傍に設けられた永久磁石５４の磁力によりアーク駆動力を補助する。
【００１８】
以下に、永久磁石５４によるアーク駆動力について説明する。
永久磁石５４は、固定接触子２７のアークランナ２７ａの近傍かつ、消弧装置５０の電源側端子２４側に絶縁部材５５により保持され、その磁極が電源側端子２４および消弧装置５０の側になるように配置されている。すなわち、図４に示すように、永久磁石５４のＮ極から出た磁力線５４ａは、一旦、永久磁石５４から電源側端子２４の方に出て、消弧板５１の左右の足５１ｂを通り、さらに消弧板５１のＵ字形の切り欠き５１ａを通って永久磁石５４のＳ極に戻るルートを通ることとなる。
【００１９】
この場合、磁力線５４ａの向きは、両接点２１、２２の近傍では、遮断ユニット２０の配列方向から該配列方向に対し垂直方向に曲がっているので、両接点２１、２２間のアークは、電流の流れる向きによらず、消弧板５１の足５１ｂの方向に駆動される。すなわち、アーク電流が固定接点２１→可動接点２２に流れている場合には、図４の紙面において下側の足５１ｂの方向（図４に示すＡの方向）に駆動され、アーク電流が可動接点２２→固定接点２１に流れている場合には、図４の紙面において上側の足５１ｂの方向に駆動される。
【００２０】
そして、足５１ｂ側へ駆動されたアークは、複数のグリッド板５１によりグリッド板５１間の短いアークに分断され、電圧降下が生じ、アークを維持するためのアーク電圧が上昇し、アーク電圧が電源電圧より高い電圧となるとアークは消滅する。
【００２１】
次に、回路遮断器１０１を直流電路に使用する場合の直流電源６０および負荷６１の接続について説明する。図５に示すように、回路遮断器１０１は、２極品なので、直流電源６０を電源側端子２４ａ、２４ｂに、負荷６１を負荷側端子２５ａ、２５ｂに接続するだけでよい。なお、図５では、直流電源６０の正側を電源側端子２４ａに、直流電源６０の負側を電源側端子２４ｂに接続しているが、逆でもかまわない。
【００２２】
本実施の形態によれば、両接点間２１、２２に発生するアークを駆動する永久磁石５４を消弧装置５０の近傍かつ電源側端子２４側に設けたので、永久磁石５４がアークの高熱に曝されることがなく、遮断性能の低下を防止することができる。
【００２３】
また、接点近傍に永久磁石を配置した従来の回路遮断器では、アークを消弧板側へ駆動させる方向に磁場を形成するように永久磁石を設定しているため、磁極の向きに応じ、製品に極性指示が必要となる。例えば、右極の電源側が＋の場合、磁場は製品の電源側を上にして右方向の磁場、左極が−の場合、左方向の磁場、となり左右極で磁石の極性組込み方向が異なる。しかしながら、永久磁石５４は、その磁極が電源側端子２４および消弧装置５０の側になるように配置されているので、組立時に永久磁石５４の極性を考慮する必要がなく、組込み間違いによる不具合を防止することができる。
【００２４】
また、永久磁石５４は、電源側端子２４および消弧装置５０の側に磁極を有するように配置されているので、永久磁石を用いた回路遮断器でありながら、直流電路だけでなく、交流電路にも用いることができる。
【００２５】
実施の形態２．
図６は本発明の実施の形態２における３極の回路遮断器および該回路遮断器を直流電路に用いた場合の外部配線を示す図である。
実施の形態１は、２極の回路遮断器の例であったが、本実施の形態は、実施の形態１と同じ回路遮断ユニット２０を３個用いて、３極の回路遮断器１０２を構成したものである。なお、回路遮断ユニット２０については、実施の形態１と同様であるので、説明を省略する。
【００２６】
回路遮断器１０２を直流電路に用いる場合、図６に示すように電源側端子２４ａに直流電路６０の正側を、電源側端子２４ｃに直流電路６０の負側をそれぞれ接続し、さらに、負荷側端子２５ａと電源側端子２４ｂを接続する。負荷６１は、負荷側端子２５ｂに正側を、負荷側端子２５ａに負側を接続する。
なお、3線式の交流電路に用いる場合には、各電源側端子２４ａ、２４ｂ、２４ｃに電源を、各負荷側端子２５ａ、２５ｂ、２５ｃに負荷を接続すればよい。
【００２７】
本実施の形態によれば、両接点間２１、２２に発生するアークを駆動する永久磁石５４を消弧装置５０の近傍かつ電源側端子２４側に設けたので、永久磁石５４がアークの高熱に曝されることがなく、遮断性能の低下を防止することができる。
【００２８】
また、永久磁石５４は、その磁極が電源側端子２４および消弧装置５０の側になるように配置されているので、組立時に永久磁石５４の極性を考慮する必要がなく、組込み間違いによる不具合を防止することができる。
【００２９】
また、永久磁石５４は、端子２４および消弧装置５０の側に磁極を有するように配置されているので、永久磁石を用いた回路遮断器でありながら、直流電路だけでなく、交流電路にも用いることができる。
【００３０】
また、回路遮断器１０２を直流電路に適用する場合、図６に示すように３点切りとなる配線により、さらに高い電圧の直流電路に適用できる。
【００３１】
実施の形態３．
図７は本発明の実施の形態３における４極の回路遮断器および該回路遮断器を直流電路に用いた場合の配線を示す図である。
実施の形態１は２極、実施の形態２は３極の回路遮断器の例であったが、本実施の形態は、実施の形態１と同じ回路遮断ユニット２０を４個用いて、４極の回路遮断器１０３を構成したものである。なお、回路遮断ユニット２０については、実施の形態１と同様であるので、説明を省略する。
【００３２】
回路遮断器１０３を直流電路に用いる場合、図７に示すように電源側端子２４ａに直流電路６０の正側を、電源側端子２４ｄに直流電路６０の負側をそれぞれ接続し、さらに、負荷側端子２５ａと電源側端子２４ｂを接続し、負荷側端子２５ｄと電源側端子２４ｃを接続する。負荷６１は、負荷側端子２５ｂに正側を、負荷側端子２５ｃに負側を接続する。
また、3相４線式の交流電路に用いる場合には、各電源側端子２４に電源を、各負荷側端子２５に負荷をそれぞれ接続する。
【００３３】
本実施の形態によれば、両接点間２１、２２に発生するアークを駆動する永久磁石５４を消弧装置５０の近傍かつ電源側端子２４側に設けたので、永久磁石５４がアークの高熱に曝されることがなく、遮断性能の低下を防止することができる。
【００３４】
また、永久磁石５４は、その磁極が電源側端子２４および消弧装置５０の側になるように配置されているので、組立時に永久磁石５４の極性を考慮する必要がなく、組込み間違いによる不具合を防止することができる。
【００３５】
また、永久磁石５４は、端子２４および消弧装置５０の側に磁極を有するように配置されているので、永久磁石を用いた回路遮断器でありながら、直流電路だけでなく、交流電路にも用いることができる。
【００３６】
また回路遮断器１０３を直流電路に適用する場合、図７に示すように４点切りとなる配線により、さらに高い電圧の直流電路に適用できる。
【００３７】
実施の形態４．
図８は本発明の実施の形態４における消弧装置５０の磁力線を示す図、図９は実施の形態４における２極の回路遮断器および該回路遮断器を直流電路に用いた場合の配線を示す図である。
本実施の形態では、直流電路用に特化しアーク長をさらに伸張させ、さらに高電圧化を図ることを目指したものである。
【００３８】
図８に示すように、永久磁石５４は、絶縁部材５５に覆われるように保持され、電源側端子２４の配列方向に磁極を有するように配設されており、該磁極はＮ極とＳ極がアークを消弧装置の方向に駆動するように配置されている。すなわち、永久磁石５４のＮ極から出た磁力線５４ｂは、図８の紙面上電源側端子２４から両接点２１、２２の方を向いて右側に出て、消弧板５１の左右の足５１ｂ１の中を通って両接点２１、２２近くまで進み、足５１ｂ１から出て消弧板５１のＵ字形の切り欠き５１ａを通り、反対側の足５１ｂ２に入り、足５１ｂ２の中を通って永久磁石５４のＳ極に戻るルートを通ることとなる。なお、その他の構成については、実施の形態１と同様であるので、説明を省略する。
【００３９】
この場合、磁力線５４ａの向きは、Ｕ字形の切り欠き５１ａにおいて遮断ユニット２０の配列方向となるので、磁極の向きを電流の貫通方向に適切に合わせれば、アークはＵ字形の切り欠き５１ａの奥の方向（図８中Ｂの方向）に駆動される。そして、消弧板５１側へ駆動されたアークは、複数のグリッド板５１によりグリッド板５１間の短いアークに分断され、電圧降下が生じ、アークを維持するためのアーク電圧が上昇し、アーク電圧が電源電圧より高い電圧となるとアークは消滅する。
【００４０】
次に２極の回路遮断器１０４の外部接続および各極の永久磁石５４の磁極の向きについて説明する。
図９に示すように、電源側端子２４ａに直流電路６０の正側を、電源側端子２４ｂに直流電路６０の負側をそれぞれ接続し、負荷側端子２５ａに負荷６１の正側を、負荷側端子２５ｂに負荷６１の負側をそれぞれ接続する。
【００４１】
この接続の場合、通電電流が電源側端子２４ａ→固定接点２１→可動接点２２→負荷側端子２５ａの順に流れる極は、図９の紙面上、負荷側端子２５ａから電源側端子２４ａの方を見て左側にＮ極、右側にＳ極となるように永久磁石５４ａを配置すれば、Ｕ字形の切り欠き５１ａ奥の方向へアークは駆動される。逆に、通電電流が負荷側端子２５ｂ→可動接点２２→固定接点２１→電源側端子２４ｂに流れる極は、負荷側端子２５ｂから電源側端子２４ｂの方を見て右側にＮ極、左側にＳ極となるように永久磁石５４ｂを配置すれば、Ｕ字形の切り欠き５１ａ奥の方向へアークは駆動される。
その他の構成については、実施の形態１と同様であるので、説明を省略する。
【００４２】
本実施の形態によれば、両接点間２１、２２に発生するアークを駆動する永久磁石５４を消弧装置５０の近傍かつ電源側端子２４側に設けたので、永久磁石５４がアークの高熱に曝されることがなく、遮断性能の低下を防止することができる。
【００４３】
また、永久磁石５４は電源側端子２４の配列方向に磁極を有し、その磁極はＮ極とＳ極がアークを消弧装置５０及び電源側端子２４の方向に駆動するように配置されているので、アーク長を更に伸長でき遮断性能を向上できる。
【００４４】
実施の形態５．
図１０は実施の形態５における３極の回路遮断器および該回路遮断器を直流電路に用いた場合の配線を示す図である。
実施の形態４は、２極の回路遮断器の例であったが、本実施の形態は、実施の形態４と同じ回路遮断ユニット２０を３個用いて、３極の回路遮断器１０５を構成したものである。
【００４５】
回路遮断器１０５の外部接続および各極の永久磁石５４の磁極の向きについて説明する。
図１０に示すように、電源側端子２４ａに直流電路６０の正側を、電源側端子２４ｃに直流電路６０の負側をそれぞれ接続し、さらに、負荷側端子２５ａと電源側端子２４ｂを接続する。負荷６１は、負荷側端子２５ｂに正側を、負荷側端子２５ａに負側を接続する。
【００４６】
この接続の場合、通電電流が電源側端子２４ａ→固定接点２１→可動接点２２→負荷側端子２５ａの順に流れる極は、図１０の紙面上、負荷側端子２５ａから電源側端子２４ａの方を見て左側にＮ極、右側にＳ極となるように永久磁石５４ａを配置すれば、Ｕ字形の切り欠き５１ａ奥の方向へアークは駆動される。また、通電電流が電源側端子２４ｂ→可動接点２２→固定接点２１→負荷側端子２５ｂに流れる中央の極は、負荷側端子２５ｂから電源側端子２４ｂの方を見て右側にＮ極、左側にＳ極となるように永久磁石５４ｂを配置すれば、Ｕ字形の切り欠き５１ａ奥の方向へアークは駆動される。さらに通電電流が負荷側端子２５ｃ→可動接点２２→固定接点２１→電源側端子２４ｃの順に流れる極は、負荷側端子２５ｃから電源側端子２４ｃの方を見て右側にＮ極、左側にＳ極となるように永久磁石５４ｃを配置すれば、Ｕ字形の切り欠き５１ａ奥の方向へアークは駆動される。
なお、その他の構成については、実施の形態４と同様であるので、説明を省略する。
【００４７】
本実施の形態によれば、両接点間２１、２２に発生するアークを駆動する永久磁石５４を消弧装置５０の近傍かつ電源側端子２４側に設けたので、永久磁石５４がアークの高熱に曝されることがなく、遮断性能の低下を防止することができる。
【００４８】
また、永久磁石５４は電源側端子２４の配列方向に磁極を有し、その磁極はＮ極とＳ極がアークを消弧装置５０及び電源側端子２４の方向に駆動するように配置されているので、アーク長を更に伸長でき遮断性能を向上できる。
【００４９】
また、図１０に示すような３点切りとなる配線により、さらに高い電圧の直流電路に適用できる。
【００５０】
実施の形態６．
図１１は実施の形態６における４極の回路遮断器および該回路遮断器を直流電路に用いた場合の配線を示す図である。
実施の形態４は２極、実施の形態５は３極の回路遮断器の例であったが、本実施の形態は、実施の形態４と同じ回路遮断ユニット２０を４個用いて、４極の回路遮断器１０６を構成したものである。
【００５１】
回路遮断器１０６の外部接続および各極の永久磁石５４の磁極の向きについて説明する。
図１１に示すように、電源側端子２４ａに直流電路６０の正側を、電源側端子２４ｄに直流電路６０の負側をそれぞれ接続し、さらに、負荷側端子２５ａと電源側端子２４ｂを接続し、負荷側端子２５ｄと電源側端子２４ｃを接続する。負荷６１は、負荷側端子２５ｂに正側を、負荷側端子２５ｃに負側を接続する。
【００５２】
この接続の場合、通電電流が電源側端子２４ａ→固定接点２１→可動接点２２→負荷側端子２５ａの順に流れる極は、図１１の紙面上、負荷側端子２５ａから電源側端子２４ａの方を見て左側にＮ極、右側にＳ極となるように永久磁石５４ａを配置すれば、Ｕ字形の切り欠き５１ａ奥の方向へアークは駆動される。また、通電電流が電源側端子２４ｂ→可動接点２２→固定接点２１→負荷側端子２５ｂに流れる極も、負荷側端子２５ｂから電源側端子２４ｂの方を見て左側にＮ極、右側にＳ極となるように永久磁石５４ｂを配置すれば、Ｕ字形の切り欠き５１ａ奥の方向へアークは駆動される。また、通電電流が負荷側端子２５ｃ→可動接点２２→固定接点２１→電源側端子２４ｃの順に流れる極は、負荷側端子２５ｃから電源側端子２４ｃの方を見て右側にＮ極、左側にＳ極となるように永久磁石５４ｃを配置すれば、Ｕ字形の切り欠き５１ａ奥の方向へアークは駆動される。また、通電電流が負荷側端子２５ｄ→可動接点２２→固定接点２１→電源側端子２４ｄの順に流れる極は、負荷側端子２５ｄから電源側端子２４ｄの方を見て右側にＮ極、左側にＳ極となるように永久磁石５４ｃを配置すれば、Ｕ字形の切り欠き５１ａ奥の方向へアークは駆動される。
なお、その他の構成については、実施の形態４と同様であるので、説明を省略する。
【００５３】
本実施の形態によれば、両接点間２１、２２に発生するアークを駆動する永久磁石５４を消弧装置５０の近傍かつ電源側端子２４側に設けたので、永久磁石５４がアークの高熱に曝されることがなく、遮断性能の低下を防止することができる。
【００５４】
また、永久磁石５４は電源側端子２４の配列方向に磁極を有し、その磁極はＮ極とＳ極がアークを消弧装置５０及び電源側端子２４の方向に駆動するように配置されているので、アーク長を更に伸長でき遮断性能を向上できる。
【００５５】
また、図１１に示すような４点切りとなる配線により、さらに高い電圧の直流電路に適用できる。
【００５６】
実施の形態７．
図１２は実施の形態７における消弧装置を示す縦断面の拡大図、図１３は図１２の消弧装置を示す斜視図である。
実施の形態１〜実施の形態６に示した回路遮断器では、永久磁石５４は、消弧装置５０の下部に設けられていたので、グリッド板５１の上部及び最上段の消弧版５２の方は磁力が弱い。したがって、アークの上部はグリッド板５１の方に駆動されにくいという課題があった。
本実施の形態は、実施の形態１〜実施の形態６の消弧装置５０において、図１２、図１３に示すように、アークが凸形状に転流しやすい性質を利用し、最上段の消弧板５２の折り曲げ部５２ａに可動接触子２３の方向に突出する凸部５２ａ１を設けたものである。
その他の構成については、実施の形態１〜実施の形態６と同様であるので、説明を省略する。
【００５７】
本実施の形態によれば、最上段の消弧板５２の折り曲げ部５２ａに可動接触子２３の方向に突出する凸部５２ａ１を設けたので、アークが可動接触子２３から凸部５２ａ１に転流し易くなり、アークの上部もすばやく消弧版５１の方に駆動され遮断性能を向上できる。
【符号の説明】
【００５８】
１０  筐体、１１  ベース、１２  カバー、
２１  固定接点、２２  可動接点、２３  可動接触子、
２４  電源側端子、２５  負荷側端子、２７  固定接触子、
４０  引き外し装置、５０  消弧装置、５１  消弧板、５２  最上段の消弧板、
５４  永久磁石、５５  絶縁部材、
１０１  回路遮断器。
【図１】
0005522327.tif 000002
【図２】
0005522327.tif 000003
【図３】
0005522327.tif 000004
【図４】
0005522327.tif 000005
【図５】
0005522327.tif 000006
【図６】
0005522327.tif 000007
【図７】
0005522327.tif 000008
【図８】
0005522327.tif 000009
【図９】
0005522327.tif 000010
【図１０】
0005522327.tif 000011
【図１１】
0005522327.tif 000012
【図１２】
0005522327.tif 000013
【図１３】
0005522327.tif 000014